(57)【特許請求の範囲】
【請求項１】
１パラメーター関数（Ｇ（ｘ））で周期的に反復される解が現れる時まで前記関数（Ｇ（ｘ））の解を演算する回数（Ｎ）、前記関数（Ｇ（ｘ））の初期値（Ｘ０）、使用者により選択されたモードにより決定される前記関数（Ｇ（ｘ））のパラメーター（μ）、前記選択されたモードにより決定されるパラメーター（μ）で反復的に現れる関数（Ｇ（ｘ））解の総個数（Ｍ）、前記関数（Ｇ（ｘ））の周期的に現れる解により発生された駆動パターンを設定されたファンの駆動時間中に実行する回数（Ｉ）を設定する第１過程と、
前記第１過程により設定された関数（Ｇ（ｘ））の初期値（Ｘ０）を変数として入力し、選択されたモードにより決定されたパラメーター（μ）を入力して関数（Ｇ（ｘ））の解（Ｘ）を求め、求められた解（Ｘ）を再び関数（Ｇ（ｘ））の変数として入力して関数（Ｇ（ｘ））の解を求める演算過程を第１過程で設定された回数（Ｎ）だけ反復的に実行する第２過程と、
前記第２過程を実行した後、再び第２過程の演算過程を遂行してこの関数の解の大きさに相当する風量と風速でファンの駆動パターンを発生し、解の総個数（Ｍ）に到達する時までこの演算過程を反復実行する第３過程と、
前記第３過程を実行した後、第１過程で設定された回数（Ｉ）に到達すると設定されたファンの駆動時間が終了される時まで第２過程から反復実行する第４過程とを具備することを特徴とするファンの駆動制御方法。
【請求項２】
１パラメーター関数（Ｇ（ｘ））で周期的に反復される解が現れる時まで前記関数（Ｇ（ｘ））の解を演算する回数（Ｎ）、前記関数（Ｇ（ｘ））の初期値（Ｘ０）、使用者により選択されたモードにより決定される前記関数（Ｇ（ｘ））のパラメーター（μ）の最小値（μｍｉｎ）と最大値（μｍａｘ）、前記選択されたモードにより決定されるパラメーター（μ）で反復的に現れる関数（Ｇ（ｘ））解の総個数（Ｍ）、前記関数（Ｇ（ｘ））の周期的に現れる解により発生された駆動パターンが設定されたファンの駆動時間中に実行される回数（Ｉ）を設定する第１過程と、
前記第１過程により設定された関数（Ｇ（ｘ））の初期値（Ｘ０）を変数として入力し、選択されたモードにより決定されたパラメーター（μ）の最小値（μｍｉｎ）を入力して関数（Ｇ（ｘ））の解（Ｘ）を求め、求められた解（Ｘ）を再び関数（Ｇ（ｘ））の変数として入力して関数（Ｇ（ｘ））の解を求める演算過程を第１過程で設定された回数（Ｎ）だけ反復的に実行する第２過程と、
前記第２過程を実行した後、再び第２過程の演算過程を遂行し、前記関数の解を順次貯蔵し、次いで前記パラメーター（μ）の最小値（μｍｉｎ）を所定量（Δμ）ずつ増加させて第２過程から反復実行する第３過程と、
前記第３過程を実行してパラメーター（μ）が最大値（μｍａｘ）に到達されたかをチェックし、最大値（μｍａｘ）に到達されると、感知された外気の温度に応じて第３過程で貯蔵された解を出力する第４過程と、
前記第４過程で出力された関数の解の大きさに相当する風量と風速を決定してファンの駆動パターンを出力する第５過程と、
前記第５過程が解の総回数（Ｍ）に到達する時まで前記第３過程から反復実行する第６過程と、
前記第６過程を設定回数（Ｉ）に到達する時まで第２過程から反復実行する第７過程とを具備することを特徴とするファンの駆動制御方法。
【発明の詳細な説明】
【０００１】
【産業上の利用分野】
本発明は扇風機に関するもので、詳しくは１パラメーター関数の解で現れる分枝現象を用いて多様な駆動パターンを発生させることにより、自然風に近い風を生成し得るファンの駆動装置及び方法に関するものである。
【０００２】
【従来の技術】
従来の扇風機は、使用者により選択されたモードに応じて決定された風速と風量のみで一定にファンが駆動する。
【０００３】
【発明が解決しようとする課題】
しかしながら、扇風機を長時間使用する場合、不快感を誘発するだけでなく人体に有害な影響を及ぼす原因となり、快適な風量を提供し得ない問題点があった。
従って、本発明の目的は前記従来の問題を解決するためになされたもので、１パラメーター関数の解で現れる分枝現象を用いてファンの駆動パターンを発生させることにより、自然風に近い風量と風速を生成するファンの駆動制御装置及び制御方法を提供することにある。
【０００４】
【課題を解決するための手段】
このような本発明の目的は、使用者が扇風機のモードを選択するための操作部と、前記操作部から供給されるモードに応ずる風量と風速でファンを制御するための駆動パターンを発生する駆動パターン発生部と、前記駆動パターン発生部から供給される駆動パターンに応じてモーターを駆動させてファンを制御する駆動部とから構成されるファンの駆動制御装置を提供することにより達成される。
【０００５】
さらに、本発明は前記目的を達成するため、１パラメーター関数（Ｇ（ｘ））で周期的に反復される解が現れる時まで前記関数（Ｇ（ｘ））の解を演算する回数（Ｎ）、前記関数（Ｇ（ｘ））の初期値（Ｘ０）、使用者により選択されたモードにより決定される前記関数（Ｇ（ｘ））のパラメーター（μ）、前記選択されたモードにより決定されるパラメーター（μ）で反復的に現れる関数（Ｇ（ｘ））解の総個数（Ｍ）、前記関数（Ｇ（ｘ））の周期的に現れる解により発生された駆動パターンを設定されたファンの駆動時間中に実行する回数（Ｉ）を設定する第１過程と、前記第１過程により設定された関数（Ｇ（ｘ））の初期値（Ｘ０）を変数として入力し、選択されたモードにより決定されたパラメーター（μ）を入力して関数（Ｇ（ｘ））の解（Ｘ）を求め、この求められた解（Ｘ）を再び関数（Ｇ（ｘ））の変数として入力して関数（Ｇ（ｘ））の解を求める演算過程を第１過程で設定された回数（Ｎ）だけ反復的に実行する第２過程と、前記第２過程を実行した後、再び第２過程の演算過程を遂行してこの関数の解の大きさに相当する風量と風速でファンの駆動パターンを発生し、解の総個数（Ｍ）に到達する時までこの演算過程を反復実行する第３過程と、前記第３過程を実行した後、第１過程で設定された回数（Ｉ）に到達すると設定されたファンの駆動時間が終了される時まで第２過程から反復実行する第４過程とからなるファンの駆動制御方法を提供する。
【０００６】
【実施例】
以下、本発明を添付図面に基づいて詳細に説明する。
図１は本発明によるファンの駆動制御装置を示すブロック構成図である。同図に示すように、本発明のファンの駆動制御装置において、使用者が扇風機のモードを選択するための操作部１には、この操作部１を通じて供給されたモード信号に応じて決定された風量と風速でファンの駆動パターンを発生し、この発生された駆動パターンを出力する駆動パターン発生部２が連結され、前記駆動パターン発生部２には駆動パターンに応じてモーターを駆動させてファンを制御する駆動部３が連結される。
【０００７】
このように構成された本発明によるファンの駆動制御装置の作用を図１乃至図５に基づいて以下に説明する。
操作部１を通じて扇風機のモードを選択すると、この選択されたモード信号は駆動パターン発生部２に印加され、このモードに応ずる駆動パターンを発生する。
【０００８】
先ず、１パラメーター関数（Ｆ（ｘ）＝μｘ（１−ｘ））を用いて駆動パターンを発生する過程を説明する。
即ち、関数（Ｆ（ｘ）＝μｘ（１−ｘ））の初期値（Ｘ０）を変数として入力して関数（Ｆ（ｘ）＝μｘ（１−ｘ））の解（Ｘ１）を求め、この求められた関数（Ｆ（ｘ））の解を再び関数（Ｆ（ｘ））の変数として入力して関数（Ｆ（ｘ））の解を求める。このような演算過程を反復実行すると、パラメーター（μ）に応じて関数（Ｆ（ｘ））の解は、図２に示すように、２つ、４つ、８つの値が反復的に現れる。そして、この関数（Ｆ（ｘ））の解は任意のパラメーター（μａ）に対して２つの解が４つの解に分枝される現象が現れ、さらに任意のパラメーター（μｂ）に対して４つの解が８つの解に分枝される現象が現れる。このようにパラメーター（μ）を続いて増加させると、ある境界領域を過ぎないランダムな関数（Ｆ（ｘ））の解が続いて現れ、この領域をカオス領域という。
【０００９】
このような関数（Ｆ（ｘ））の分枝現象を用いてファンの駆動パターンを発生する。先ず、使用者によりモードが選択されると、この選択されたモードに相当するパラメーター（μ）が決定される。
即ち、使用者によりＢモードと自動モードが選択されたと仮定すると、パラメーター（μ）の最小値（μｍｉｎ）はμａ、最大値（μｍａｘ）はμｂにそれぞれ決定され、この関数（Ｆ（ｘ））の初期値（Ｘ０）が決定され、この関数（Ｆ（ｘ））の周期的に反復される解が現れる時までこの関数（Ｆ（ｘ））の解を演算する回数（Ｎ）が決定される。
【００１０】
そして、この関数（Ｆ（ｘ））にパラメーター（μａ）を入力し、この関数（Ｆ（ｘ））の初期値（Ｘ０）をこの関数（Ｆ（ｘ））の変数として入力して関数（Ｆ（ｘ））の解を求め、この求められた解を再び関数（Ｆ（ｘ））の変数として入力して関数（Ｆ（ｘ））の解を求める。前記の演算過程を設定された回数（Ｎ）となる時まで反復して実行すると、前記パラメーター（μａ）に対した関数（Ｆ（ｘ））の２つの解が反復して現れ、この解を貯蔵する。
【００１１】
次いで、前記パラメーター（μ）を所定量（Δμ）だけ増加させて前記演算過程を遂行し、この演算過程で求められた２つの解を貯蔵し、この過程をパラメーター（μ）が設定パラメーターの最大値（μｍａｘ）になる時まで反復する。そして、感知された外気の温度に応じて、貯蔵された解を出力させて、この解の大きさに当たる風量と風速でファンを駆動させる。
【００１２】
一方、使用者によりＢモードの強が選択されたとすると、パラメーターの最大値（μｍａｘ）に対して関数（Ｆ（ｘ））の解を求め、この求められた解の大きさに相当する風量と風速でファンを駆動させる。
即ち、パラメーター（μｍａｘ）に対して求められた関数（Ｆ（ｘ））の解（Ｘ１）の大きさに相当する風量と風速でファンを駆動させ、次いでこの解（Ｘ１）を変数として入力して求められた解（Ｘ２）の大きさに相当する風量と風速でファンを駆動させる。
【００１３】
しかし、使用者によりＣモードが選択された場合は、関数（Ｆ（ｘ））の解の大きさに相当する風量と風速でファンが駆動され、解（Ｘ３）の大きさに相当する風量と風速でファンを制御し、再び、この解（Ｘ４）を変数として入力して求められた解（Ｘ５）の大きさに相当する風量と風速でファンを制御した後、再びこの解（Ｘ５）を変数として入力して求められた解（Ｘ６）の大きさに相当する風量と風速でファンを制御する。
【００１４】
このように発生された駆動パターンは駆動部３に印加され、この駆動パターンに相当する風量と風速に従ってファンが動作する。
次に、関数（Ｇ（ｘ））の解で現れる分枝現象を用いてファンの駆動パターンを発生する過程を説明すると次のようである。
この関数（Ｇ（ｘ））は次の式を満足する。
即ち、Ｇ（ｘ）＝Ｋμｘ（１−ｘ）となり、ここで、Ｋは常数である。この関数に対した分枝を表すダイアグラムは図４に示すように使用者により選択されたモードに相当する常数（Ｋ）の値に応じてこの関数解の大きさが変わる。
【００１５】
前記関数（Ｇ（ｘ））の分枝現象を用いて扇風機のファンの駆動パターンを発生する過程を図４及び図５に基づいて説明すると、先ず、関数の初期値（Ｘ０）と、この関数（Ｇ（ｘ））の周期的に反復される解が現れる時まで関数（Ｇ（ｘ））の解を演算する回数（Ｎ）とを設定し、この関数Ｇ（ｘ）＝Ｋμｘ（１−ｘ）初期値（Ｘ０）を変数として入力して関数（Ｇ（ｘ））の解を求める。
【００１６】
次いで、この求められた関数（Ｇ（ｘ））の解を再びこの関数（Ｇ（ｘ））の変数として入力して関数（Ｇ（ｘ））の解を求める。このような演算過程を設定回数（Ｎ）になる時まで反復実行すると、パラメーター（μ）に応じて、この関数（Ｇ（ｘ））の解は図４に示すように２つ、４つ、８つの値が反復的に現れる。この関数（Ｇ（ｘ））の解は、任意のパラメーター（μａ）に対して２つの解が４つの解に分枝され、任意のパラメーター（μｂ）に対して４つの解が８つの解に分枝される現象が現れる。そして、このようにパラメーター（μ）を続いて増加させると、ある境界領域を過ぎないランダムな関数（Ｇ（ｘ））の解が続いて現れる。
【００１７】
前記のような関数（Ｇ（ｘ））の分枝現象を用いてファンの駆動パターンを発生する。先ず、使用者がモードを選択すると、この選択されたモードに当たるパラメーター（μ）が決定される。
即ち、使用者によりＢモードと自動モードが選択されたと仮定すると、パラメーター（μ）の最小値（μｍｉｎ）と最大値（μｍａｘ）はそれぞれμａ，μｂと決定され、使用者により選択されたＢモードのパラメーター（μ）により決定された関数（Ｇ（ｘ））の解の総個数（Ｍ＝２）、この関数（Ｇ（ｘ））の周期的に現れる解により発生した駆動パターンが設定されたファンの駆動時間中に使用する回数（Ｉ）を決定する。
【００１８】
そして、この関数（Ｇ（ｘ））にパラメーター（μａ）を入力し、関数（Ｇ（ｘ））の初期値（Ｘ０）を関数（Ｇ（ｘ））の変数として入力して関数（Ｇ（ｘ））の解を求め、この求められた解の値を再び関数（Ｇ（ｘ））の変数として入力して関数（Ｇ（ｘ））の解を求める。前記演算過程を設定回数（Ｎ）になる時まで反復実行すると、前記パラメーター（μａ）に対した関数（Ｇ（ｘ））の２つの解（Ｍ＝２）が反復的に現れ、この解を貯蔵する。
【００１９】
次いで、前記パラメーター（μ）を所定量（Δμ）だけ増加させて前記演算過程を遂行し、この演算過程で求められた２つの解を貯蔵し、この過程をパラメーター（μ）が設定パラメーターの最大値（μｍａｘ）になる時まで反復する。そして、決定されたパラメーター（μ）に対して貯蔵された解は外気の温度に応じて選択し出力させて、この解の大きさに相当する風量と風速でファンを駆動させる。
【００２０】
一方、使用者によりＢモードの強が選択されたとすると、パラメーターの最大値（μｍａｘ）に対して関数（Ｇ（ｘ））の解（Ｘ１）（Ｘ２）を求め、この求められた解（Ｘ１）（Ｘ２）の大きさに相当する風量と風速でファンを駆動させる。
即ち、パラメーター（μｍａｘ）に対して求められた関数（Ｇ（ｘ））の解（Ｘ１）の大きさに相当する風量と風速でファンを制御し、次いでこの解（Ｘ１）を変数として入力して求められた解（Ｘ２）の大きさに相当する風量と風速でファンを制御する。
【００２１】
しかし、使用者によりＣモードが選択された場合は、関数（Ｇ（ｘ））の解の大きさに相当する風量と風速でファンが駆動する。即ち、解（Ｘ３）の大きさに当たる風量と風速でファンを制御し、次いでこの解（Ｘ３）を変数として入力して求められた解（Ｘ４）の大きさに相当する風量と風速でファンを制御し、再びこの解（Ｘ４）を変数として入力して求められた解（Ｘ５）の大きさに相当する風量と風速でファンを制御した後、この解（Ｘ５）を変数として入力して求められた解（Ｘ６）に相当する風量と風速でファンを制御する。
【００２２】
そして、使用者によりＤモードが選択されると、この関数の解の総個数（Ｍ）は８となり、よってファンは８種のパターンで制御される。
そして、カオス領域であるＥモードが使用者により選択されると、この関数の解はある境界値を外れない予測し得ないランダムな値となり、このランダムな関数の解により短時間間隔の間にファンを駆動させて風量と風速が無秩序に発生し、この風量と風速はＡモード、Ｂモード、Ｃ，Ｄモードに比べて自然風にもっと近い。
【００２３】
【発明の効果】
以上説明したように、本発明は、１パラメーター関数で現れる分枝現象を用いてファンの駆動パターンを発生し、このファンにより自然風に近い風を発生することにより、快適な空間状態を維持し得、人体に無害な風を供給し得る効果がある。
【図面の簡単な説明】
【図１】本発明によるファンの駆動制御装置を示すブロック構成図である。
【図２】本発明によるファンの駆動制御方法の第１実施例に適用される関数（Ｆ（ｘ））の解の分枝現象を示すダイアグラムである。
【図３】本発明によるファンの駆動制御方法の第１実施例を示す流れ図である。
【図４】本発明によるファンの駆動制御方法の第２実施例に適用される関数（Ｇ（ｘ））の解の分枝現象を示すダイアグラムである。
【図５】本発明によるファンの駆動制御方法の第２実施例を示す流れ図である。
【符号の説明】
１…操作部
２…操作パターン発生部
３…駆動部
【図１】
0003568975.tif 000002
【図２】
0003568975.tif 000003
【図３】
0003568975.tif 000004
【図４】
0003568975.tif 000005
【図５】
0003568975.tif 000006